(57)【要約】      （修正有）【課題】現在では、コンクリートビル木造家屋解体にともなう産業廃棄物の大半は廃棄されている。産廃を有効活用する具体的例もなく推移してきたが、解体するにあたり、貴重な建築物に蓄積されている工夫、技を見直し、建築を学ぶ勉強の場として活用し、産廃は雑草抑制、局地豪雨の水害の解消に活用する。【解決手段】コンクリートビル、木造家屋解体から排出される産業廃棄物を雑草の抑制制御に、木箱類は局地豪雨時に雨水を蓄積する容器に、そして各種袋は山間部、田畑、市街地、公園、運動場などの空き地空間に防水袋として配置して局地豪雨の雨水を貯水し、しかも渇水対策にも活用する。また解体工事に携わることにより、日本の木造家屋から建築を学び取り世界の人たちに建築工法を発信する。【選択図】図１
2010095945.tif 000002
【特許請求の範囲】
【請求項１】
ビル解体細分化工法  この解体工法はビルコンクリート塊、その他の素材を左右切断駆動機にアタッチメント垂直刃、水平刃、コ型刃（コンクリート用、鉄骨用、木工用）の各種専門分野切断機におのおの連結し、各種分担作業機を独立に製作する。その駆動機の分担工程による、ベースプレート形状に切断解体する工法である。解体資材を産業廃棄物として処分するのではなく、コンクリート切断細分化されたベースプレートは、雑草の抑制、局地豪雨の降水量の制御容器、農地、道路法面補強に活用する。そのベースプレート本体には単，複数の開口穴が上下面に貫通形成され、雑草、樹木の生育通過後（文字と図形）、鉄筋配備可能な開口穴を有するコンクリート、木製ベースプレート
【請求項２】
木造家屋の細分化工法、この解体工法は木造家屋の細分化，輪切り、分離，剥離工法による。建設重機を極力使用せず、人海戦術による解体工法であり、その解体資材、瓦、垂木梁，桁、外壁、床材，天井材を活用してベースプレートを形成する。そのいずれのベースプレートにも開口穴が単，複数開口穴が上下面に貫通形成され、雑草、樹木生育通過後（文字と図形）、鉄筋配備可能.な開口穴を有する木製、瓦ベースプレート
【請求項３】
前記木造家屋資材，内装解体資材を貯水容器構造物に建造し、その容器構造物に局地豪雨の雨水を貯水し、時間差放流、分流制御を可能にする。すなわち貯水容器の降水量を調整可能な多積層容器。前記貯水容器は木製容器に限定するものでなく、家電製品の冷蔵庫、レンジ、台所用の棚、プラスチック容器、浴槽、ステンレス、ホロー，貯水容器。家庭から出る各種袋の活用により、貯水袋体が山間部の樹木枝に吊り下げて、降雨を貯水に活用する方法で、その配置場所は市街地の空き地。植木．街路樹、水田の空き地、果樹園のミカンの木、桃、柿、休耕田畑、山間部の樹木空間、山間部の地表空間に配置する方法。
【請求項４】
木造家屋を建設するには家主はお金の工面をして、経験豊かな大工、石屋、左官、屋根屋、建具屋、表具屋、を雇い自分の家を建築するのである。その各職人の知恵と肉体労働により汗と涙の結晶も、古くなった家屋を解体するには、貴重な建築物から学びとる姿勢が必要であり、働く場のない人、今後自分の家を解体、新築する人、建築を学びたい人、職人の経験談を聞きたい人、学生（大学生、高校生、中学生、小学生、幼稚園児）まで日本の木造家屋から建築を学び、世界の人たちに建築工法を発信する。参加報酬は時給制とし、場合によれば、参加費が要る場合もある。解体（建築、自動車、家電、産業機械）ビジネス研修塾。
【発明の詳細な説明】
【技術分野】
【０００１】
本発明はコンクリートビル、木造家屋解体に関するものでる。
【背景技術】
【０００２】
従来から、コンクリートビル、木造家屋、ブロック建築等を解体する場合。建設重機保有、産業廃棄物処理設備所有の産廃業者、解体業者等による解体作業おこなわれる。その解体工法は、建設重機による解体が主であり、その作業工程は、破壊に始まり破壊に終わる工程であるため、家屋、コンクリートビルとして形あるもの、全てが産業廃棄物として処置される。
【０００３】
コンクリートビル、その資材は鉄骨、鉄筋配列、結束、溶接、コンクリート、ガラスサッシ、鉄板などがある。そして設備としては電気（高圧設備、低圧、動力）通信設備、上下水道設備、空調設備、事務関係設備等により構成される。全ての施工は有資格者により設備がなされる。
【０００４】
コンクリートビル解体工法は、建設重機による破壊工法でしか、コンクリート解体がなされていない。ベースプレート解体すなわち左右切断駆動機による細分化工法による作業がいまだ実現されていない。
【０００５】
また、木造家屋の解体の資材は、基礎部分のコンクリート、根太、柱、梁、桁、筋交い、淡路地方では梁に松の丸太を使用、瓦、垂木、野地板、竹材、壁土などの組み合わせにより木造建築が形成される。家屋解体に先立ち、家屋の整理が重要であり、台所には冷蔵庫、レンジ、食器棚流し台、浴室にはバス、洗面台等があり、勉強部屋にある本箱等に大別される。その形あるもの全て、産業廃棄物として処分するのではなく、形あるものを雑草制御、局地豪雨時の降水量を木箱容器に貯水、各種袋を容器形成し、袋体を貯水するために活用すれば，河川に流れ込む雨水量の、削減、制御等に活用する方法も、いまだに確立されてない。前記松材の梁は形状が変形であるため、活用方法としては、産廃業者がチップに裁断するのが、唯一の処理方法であり、現場での解体、吊り降ろす、荷揚げ、輸送作業はすべて大型機械が必要となる。
【０００６】
また、従来の、コンクリートビル、木造家屋の竣工時には多くの技術者、設計士、経験豊富な職人達の名工が携わり（石工、鉄筋工、大工、左官、屋根屋，板金工、設備施工に従事する有資格者）そして弟子達の汗、涙と知恵の結晶により一軒の家屋が建てられたのである。家族にとっても、愛着、思い出の多い家屋を、全て破壊することは、祖先、職人への感謝の思いを破壊する工法は、見直すべきである。特に建築分野に従事する人の減少に伴い、古い家屋には昔、すなわち、建築した時代の建築物を構築する熟練技術、名人芸が蓄積されていることを人々は忘却している。
解体作業は、特定の業者が解体するのではなく、日本の建築技術を日本国民が学び、国民が建築に学ぶ研修の場として解体建築物に学習し、その参加者には解体作業に従事していただき、より現場、現物研修により、解体建築から古代の建築技術の継承を吸収し、世界中にその技術を発信し、世界の建築技術の向上を図ることで、家のない人々に一軒の家を自らの手で建築する機会を提供することにある。すなわち、解体家屋には、上記記載した職人の名人技を覚える絶好の機会となる。子供のうちから，生活基盤である自宅に関心を持ち、自分の家は自分で設計するために、他人の家にも学ぶ姿勢が重要である。日本建築を世界の地域に広げる機会となる。改めて書くが、各国の人々が自宅建築を自分で出来る人材を育成することにもなる。日本人は身近な自分の家が、最良学習の場である。
【０００７】
特開２００８−１１１３５２記載されている雑草抑制は、実験期間が短時間であり、雑草勢力が旺盛なために、塩粘性状土の表面に雑草が現れた。地盤の強化には課題が発生していない。繁殖力の旺盛な雑草に対処するには、やはり、重量のある素材で雑草を抑える方法が最適であると考え、重量の存在する素材を求めて思案した結果、家屋に使用されている、瓦、材木、壁土、屋根土、を活用することが、解体時に発生する、産業廃棄物の有効活用が農家の作業（雑草の草刈）の軽減、局地豪雨により、下流の市街地に流れ込む濁流の軽減機能を、貯水容器機能に求め、容器構築による木工箱を作る。また、袋状容器を製作することで雨水を貯水する機能を木箱と、袋に求める。本発明は解体家屋素材についての活用方法について説明しているが、新材料、異材料で大型、巨大箱、袋体を使用することを制限するものでない。
【０００８】
【特許文献１】特開２００８―１１１３５２
【特許文献２】特願２００７−０１００３４
【発明の開示】
【発明が解決しようとする課題】
【０００９】
本発明はこのような従来の問題点に鑑みてなされたものである。すなわち、本発明の課題は、コンクリートビル、木造家屋の解体工法とその産業廃棄物の活用による雑草の抑制、制御が自然環境と調和し、地球温暖化に貢献するための工法であり、局地豪雨時にも水の災害が発生しないための、木箱、袋体、家電製品等の活用による貯水工法についての技術提供にある。
【課題を解決するための手段】
【００１０】
本発明は前記課題を解決するために、以下の手段を採用した。すなわち、本発明はコンクリートビル、木造家屋の解体であって、その産業廃棄物を破壊しないで、形ある形状で解体し、又、形ある瓦は、原形のままで再利用し、木材、巨大な松丸太などは輪切りにしてベースプレートとして活用することで、高層ビルでも、機械の搬入の小型化が実現する．産業廃棄物を分別し、形状の維持できるものは原型を維持し、壁土、屋根土などは、再利用するために、粘性状にして、型枠に送入して、一次製品ベースプレートを形成する。コンクリートの欠片などは、粘性土と一緒に撹拌すると、強固なベースプレートに仕上がる、又このベースプレートにも開口穴が形成される。
（請求項１に対応）
【００１１】
コンクリートビル解体において、コンクリート塊、屋上床、外壁、床、鉄骨、鉄筋等で形成された、構造物を解体するためには、屋上の床面、天井部分、外壁部分を左右運動切断機により、部分切断による部分解体が最も有効である。そのための手段について説明する。本出願人は、特願２００７−０１００３４にコンバイン可動刃の駆動機能の活用方法について出願している。この大、中、小型コンバイン、バインダーによる、可動駆動機機を、ビル解体に使用することにより、コンクリートの塊である構造物が短時間に細分化され、容易にベースプレート形状に解体され、解体作業時間、日数の短縮が可能になる。
（請求項1に対応）
【００１２】
左右駆動機の水平刃は床、など水平面を切断するのに最適である。床にタテ、ヨコラインを引き、そのタテ、ヨコライン上を左右駆動機の可動刃で切断する。例えばコンクリートの厚みが２００mmの場合に、ヨコラインを可動刃が、上面より下の面まで刃先が通過切断をすることで、作業効率が向上する。しかしながら、床の厚み半分に切断する場合は、タテ、ヨコライン上を切断しただけでは、床面からベースプレートを分離することは出来ない。すなわちベースプレートの底面部を切断して分離が可能となる、故にコンクリートビルの屋上の端からコ型の左右駆動機によりベースプレートの底面を切断すれば床面よりベースプレートが離れる。順次このような切断方法を活用してコンクリートビルの解体作業を進める。
（請求項1に対応）
【００１３】
コンクリートビルの床面解体は全て左右水平刃駆動機で切断は不可能であるため下の階から上階の床面を切断する場合が発生したら、駆動機可動刃アタッチメント上面刃にて天井面を切断する。その作業は垂直刃左右駆動機で行う。
（請求項1に対応）
【００１４】
木造家屋の細分化工法について説明する。この解体工法の特徴は、大型重機を極力使用せず、分離、剥離、輪切り工法にて家屋を順次解体する。そして形あるもので残せるものは原形を保持し、屋根瓦、垂木、桁、梁、柱、外壁、床材、天井材などは全て雑草の抑制に活用可能であるので、ベースプレートとして使用する。その手段は全てのベースプレートの上下面には開口穴が貫通形成されると、おのおの、開口穴を雑草が生育して通過することで各種ベースプレートは地表面に雑草により固定される。文字、図形も開口穴の開口方向により可能である。又各ベースプレート開口穴を利用して杭で抑えることも可能である。
（請求項２に対応）
【００１５】
上記の屋根瓦の再活用について説明する。瓦は陶器であるために、殴打、振動を与えれば壊れる。本発明において最も工夫したのは、瓦の重さを利用し、雑草の抑えに利用するため、瓦本体に開口穴を形成する必要があったが。振動ドリル開口では瓦が壊れ。何度となく繰り返すうちに、シブヤｋｋ、電動コンクリートコアーで円形開口した実験で、瓦の中央に円形に瓦に傷、ひび割れ、破損等もなく仕上がり状態がよく短時間に開口が実現できた。
この、瓦本体に開口が可能になると、この活用方法が広がる。例えば開口穴の直径１１０ｍｍ、７５ｍｍに開口が可能になれば、開口穴に雑草の生育通過によるかわら抑え、またはか
制に役立つ。しかし既設ガードレール支柱には、解体しなければ、通すことは不可能である。故に、瓦本体の中央を切断すると２等分になる、その２枚の瓦を支柱に挟み込み固定すれば支柱に開口部を有する瓦が取り付けられる。６０mmの開口穴瓦は道路標識の支柱に使用する。瓦をコアー開口すれば瓦自体には開口穴が形成されるが、一方開口により取
除かれた、瓦は円形であり、タイルとして使用すれば用途が広がる。瓦本体に穴を開口後には産廃として捨てるものはない。
（請求項２に対応）
【００１６】
木造家屋解体にともなう、産業廃棄物は木材、板金材、外壁板、床板、天井板を利用して木箱、大規模木箱を作りその木箱に雨水を貯水する。そして家具タンス、本箱、浴槽、家電製品の冷蔵庫、レンジを局地豪雨時にも、雨水による水害を無くすことを可能にするためには、冷蔵庫など貯水能力は大きいために、雨水を貯水するために使用すべきである。
また、家屋を整理すれば各種の袋が出てくる。その袋を捨てるのではなく、雨水を貯める容器として活用する、実験をしていただきたい。木箱の中にビニール袋を入れた後、雨水を木箱に貯めることが可能である。ことは容易に判明する。故に、大型な袋体を、山間部の樹木空間  四方の枝を利用して大型防水袋を製作し吊り下げ工法にて雨水を貯水すれば、局地豪雨であっても、雨水の大半を、あるいは、雨水、すべてを収容することが可能となる。山は本来強固であるが、地中に雨水が侵入すると弱い。土砂崩れの要因となる。地中に雨水が浸入しない対策が実現すれば、水害を防ぐことが可能になる。設置場所は山間部、田畑、市街地空間、自宅の植木、建築物に固定すればビル空間等あらゆる空間に袋と箱物を配備すれば局地豪雨を解決する。箱物、袋体に収容された雨水の、排出方法は、サイホン方式にすればよい。
（請求項３に対応）
【００１７】
コンクリートビル、解体家屋には施主、社員、家族の思い、設計士、施工に携わった人々は、大工、鉄筋工、コンクリート会社、生コン運転者、左官、電気外線、内線工事、通信、水道、下水設備工、住宅設備工、内装工、職人は自分の技術、技に誇りを持ち、建築に従事する、職人は一人でも、いいかげんな仕事をすれば、その家屋、施主には迷惑なことである。そして、その職人のした場所は、手直しになる。であるから、みんな真剣そのもので、職人として無形の財産（信用）を得るために、努力して技を磨くのである。であるから解体建築物から学ぶものは多くあり、貴重な家屋を有効活用するための、研修の場である。解体作業はホコリに悩まされるが、このようなことは忍耐、肉体労働を体験する貴重なものとなる。学生（高校生、中学生、小学生、フリター、失業者、高齢者、各職人の講師の解体参加による解体工事の進行を図る。その解体報酬は時給制にして、解体作業に従事する参加者の人数は無限大とし、出来るだけ多く人の参加を希望し、多くの人が建築学を学び、共有するものが多くなれば、集団生活、個々生活の向上にも役立つ。
（請求項４に対応）
【００１８】
本発明の基本的な根拠を上記に示した上に、以下の手段について説明する。
【００１９】
コンクリートビル、高層ビル、数階のビルを解体する上には、いかにしてその建造物を解体する作業時間を短縮するか、そして解体経費の削減、作業の安全性、産業廃棄物の搬送、再利用などの多様性用途が生まれることは、解体業者よりも、その物件所有者が求める課題の最大のものである
【発明を実施するための最良の形態】
【００２０】
以下図面を参照して、本発明の好適な実施の形態を説明する。
【００２１】
＜第１実施の形態＞
以下、本発明の第１実施の形態を図１から図１１の図面に基づいて説明する。
図１は本発明の第１実施形態に係るビル解体切断ラインの斜視図であり、図２は、コンクリートベースプレートであり、図３は可動刃アタッチメントの平面図であり、図４はアタッチメント水平刃の断面図であり、図５はアタッチメントコ型刃の断面図であり、図６はアタッチメント上面刃の断面図であり、図７は木製ベースプレートの斜視図であり。図８は木造産業廃棄物利用の木箱の斜視図であり、図９は木箱の多積積み重ねの斜視図であり、図１０は松梁、桁材の輪切りと、その開口穴のの図であり。図１１は袋体の簡単な説明図である。
【００２２】
図１は、コンクリートビルの切断ラインの斜視図であるがこのラインには平面にタテライン、ヨコに線引きする、その線引きする場所は屋上の床面、各階の床面であり。外壁面には室内側に線引きが完了する。作業工程は最上階の屋上か最初の解体場所であり、順次上層部より一階づつ解体しながら、下の階にと進める細分化解体工事。
【００２３】
図２はコンクリート切断解体工事を進める上に、活用目的を明確にするために、雑草の抑制に、貯水タンクの構築、法面補強強化に使用するための、切断形状をベースプレート１の形状基準を決め活用、用途に応じた寸法切断を実施する。
【００２４】
図2の上記ライン上を通過して、コンクリート、金属を切断可能な機械は図３のコンバイン可動アタッチメント１７に連結された図４の水平刃１８、図５のコ型刃２０、図６の上面刃２１のコンクリートコアー２２、（ダイヤモンド素材刃を平板先端部分に配備することにより、駆動刃に対する水の供給により直線切断が可能となる、故にベースプレート１形状を短時間で切断することが可能となる、切断効率を上げるためには各水平刃１８、コ型刃２０、上面刃２１専属の駆動機を複数づつ製作して配置しておけば一斉稼動すれば短時間解体が可能になる。
【００２５】
図７は木造家屋を解体した産業廃棄物の木材（天井骨材、床材、下地壁材、外壁材等）の素材を組み立てて製作したベースプレート１であり、雑草抑制にベースプレート１は効果を発揮する。組合せをしなくても、屋根材の瓦１１を、原形のまま地上に降ろし、瓦１１自体に上下面開口穴１２を形成し平地、法面に配置することで雑草は瓦１１に形成した開口穴１２を通過して生育して繁殖する。このことは瓦１１をベースプレート１として使用した場合、強風、地震時に柔軟に対応した安定配置が完了する。法面に置いては開口穴１２を大きくし上面に懸けては開口穴１２を小さくすることも、施工工法の一例である。また、瓦１１の中心点に、開口穴１２の直径をガードレールの支柱の直径と同一に開口し瓦１１を２分の１に、開口穴１２を有する瓦１１本体を切断すれば半円形の瓦１１が２個出来る、その瓦１１はガードレール地面側の支柱に挟み込むと支柱の周辺地面に繁殖する雑草を抑制することが可能になり、ガードレールを設置している道路側道の草刈作業の効率が向上する。
【００２６】
図８は木造家屋を解体した産業廃棄物の木材（天井木材、床材、下地材、外壁材等）の素材を組み立てた木箱２４である。が小さいものから大型で強固な貯水能力の大きい木箱２４を製作可能である。平地に設置する場合は貯水された容器は安定性には問題は少ないが、法面、山間部に配置した場合は容器の底面に開口穴２３を形成し、その開口穴２３に樹木の苗を植えて奥を苗の成長により、容器箱２４の固定に樹木が容器固定の役目を果たす。
【００２７】
図９は図８に記載した木箱２４を積み重ねたものであるが、この積み重ねる木箱２４全体の安定度尾高めるには、土台には大型容量の木箱２４を設置、順次中型容量、小型容量と積み重ねることにより、強固な多積貯水槽が可能におなる、局地豪雨の降水雨を一時、木箱貯水槽２４に貯水することが可能となる。降雨量を一時停止することで、支流、本流に流れ込む雨水量を軽減することが可能となる。雨も容器に積もれば容器ダムとなる。容器ダムの排水方法はサイホン方式を採用すれば、山間部に設置した、容器貯水箱の雨水の排出は平地でコント
ロールが可能となる。
【００２８】
図１０は松材の桁、梁に使用された松の斜視図である。図面は直方体図になっている。
実際は自然原木であるため、各松材は変形がまちまちであるために、再利用が困難であったが、変形松材の使用方法は、輪切り工法により活用する用途が拡大する。雑草の抑制に平地、法面には配置不可能であったが、輪切り工法にて配置可能になる。輪切りするには
電動チエンソーは、エンジンチエンソーより騒音が小さいので、極力電動チエンソーを活用すればよい。松材ベースプレート１の厚みは50mm〜20mmが最適である。しかし、この厚みは限定するものではない。
【００２９】
図１０は松材を輪切り工法にて形成された松ベースプレート１である。この活用方法としては松材ベースプレート１に開口穴２３を形成して、雑草の生育通過による法面配置工法に活用する。
上記に記載した、チエンソー輪切り切断により、形成された松材のベースプレート１には上下面に開口穴２か貫通していて、その開口穴２には雑草の生育により、開口穴２が通過することは他の素材のベースプレート１と同様の効果が得られる。
【００３０】
図１１は山間部の地表空間に樹木を活用して袋体２７を配備した図である。樹木四本の枝にフックをかけて巨大袋体を広げて、雨水を袋体に貯水する袋体は配置図である。
【００３１】
図１２は法面にベースプレートを配置した簡単な参考図である。
【図面の簡単な説明】
【００３２】
【図１】本発明の第１の実施形態に係るビル細分化工法に関する切断ラインの斜視図である。
【図２】本発明の第１の実施形態に係るコンクリートのベースプレートの斜視図である。
【図３】本発明の第１の実施形態に係る可動刃アタッチメントの平面図である。
【図４】本発明の第１の実施形態に係るアタッチメント水平刃の断面図である。
【図５】本発明の第１の実施形態に係るアタッチメントコ型刃の断面図である。
【図６】本発明の第１の実施形態に係るアタッチメント上面刃の断面図である。
【図７】本発明の第２の実地形態に係る木製ベースプレートの斜視図である。
【図８】本発明の第２の実施形態に係る木造廃棄物利用の木箱の斜視図である
【図９】本発明の第２の実施形態に係る木箱積み重ね工法の斜視図である。
【図１０】本発明の第３の実施形態に係る松梁材の細分化輪切り工法とその松ベースプレートの開口穴の図である。
【図１１】本発明の第４の実施形態に係る袋体の設置の簡単な図である。
【図１２】法面にベースプレートを配置した簡単な参考図である。
【符号の説明】
【００３３】
１    ベースプレート（コンクリート、木製、塩粘生土、淡粘性土、瓦、スレート）
２    ベースプレート開口穴（左右、中央、単、複数）
３    左右水平切断運動刃（コンクリート用、金属用、木工用）
４    左右垂直アタッチメント刃（コンクリート用、金属用、木工用）
５    左右天井面アタッチメント刃（コンクリート用、金属用、木工用）
６    切断ライン  水平
７    切断ライン  垂直
８    切断ライン  天井面
９    法面、
１０  雑草目地
１１  瓦
１２  瓦開口穴
１３  木箱
１４  雨水放出サイホン
１５  ヨコライン  平面
１６  タテライン  平面
１７  可動アタッチメント
１８  水平刃コアー
１９  垂直刃コアー
２０  コ型刃コアー
２１  天井刃コアー
２２  コンクリートコアー刃円形用
２３  開口穴
２４  木箱
２５  松ベースプレート
２６  袋体
２７  樹木
２８  フック
２９  雨水導水路
３０  松材
３１  コンクリートビル
【図１】
2010095945.tif 000003
【図２】
2010095945.tif 000004
【図３】
2010095945.tif 000005
【図４】
2010095945.tif 000006
【図５】
2010095945.tif 000007
【図６】
2010095945.tif 000008
【図７】
2010095945.tif 000009
【図８】
2010095945.tif 000010
【図９】
2010095945.tif 000011
【図１０】
2010095945.tif 000012
【図１１】
2010095945.tif 000013
【図１２】
2010095945.tif 000014